(57)【特許請求の範囲】
【請求項１】
深絞りまたは圧力成形によって鋼材から製造されたシリンダライナ（１）を装着した一つまたは複数のシリンダ（２）を設け、
シリンダライナ（１）を滑りばめを用いて対応するシリンダ内孔（１２）内に所定の許容範囲をもって挿入し、これによって稼働中温度においてライナ（１）とシリンダ壁（７）との間に２０ないし４０μの割れ目幅を有する環状の割れ目（９）を保持するとともに、環状の割れ目（９）を潤滑オイル循環路に接続することを特徴とする内燃エンジン。
【請求項２】
シリンダ壁（７）の内側にオイル溝（１０）を形成し、これにより環状の割れ目（９）内に閉鎖された潤滑オイルの膜を保持することを特徴とする請求項１記載の内燃エンジン。
【請求項３】
シリンダライナ（１）はシリンダヘッド側につば部材（４）を備え、これをシリンダ壁（７）の前面（１３）内の環状溝内に収容してなり、
つば部材（４）はシリンダヘッドのシール部材（１４）との気密な接合を達成するために前面（１３）より軸方向に僅かに突出することを特徴とする請求項１記載の内燃エンジン。
【請求項４】
つば部材（４）はシリンダヘッドシール部材（１４）の代用となるような厚さを有することを特徴とする請求項３記載の内燃エンジン。
【請求項５】
シリンダライナ（１）の取り外しに使用する工具を挿入するために、シリンダ壁（７）の前面（１３）内につば部材（４）に下方から接合する収納部（５）を設けることを特徴とする請求項３記載の内燃エンジン。
【請求項６】
シリンダライナ（１）はオイル孔を形成するために充分な粗さを有する滑走面を備えることを特徴とする請求項１記載の内燃エンジン。
【請求項７】
滑走面に例えば硝酸処理、クロムメッキまたは研磨等によって表面処理を施すことを特徴とする請求項６記載の内燃エンジン。
【請求項８】
シリンダライナ（１）のシリンダ部品（３）の隔壁厚を０．５ないし１ｍｍとすることを特徴とする請求項１記載の内燃エンジン。
【発明の詳細な説明】
本発明は、深絞りまたは圧力成形によって製造されるシリンダライナを装着した単一または複数の気筒からなる内燃エンジンに関する。
特に大型のエンジンならびにクランク室がシリンダと一体的に鋳造されているエンジンの補修工程において、コスト上の理由からシリンダライナを挿入することが考案された。その際、消耗ないし損傷したシリンダをその隔壁厚が許容する限り回転させて取り外すとともに鋳造されたシリンダライナを挿入し、その内孔は元の内孔に相当しており、したがってピストンの継続使用が可能となる。
さらに、予めシリンダライナを交換部品として装着しておくエンジン構成がある（ＤＥ  ４０２９４２７  Ａ１号）。一般的に、これらのシリンダライナは遠心鋳造によって製造され、２．５ないし３．５ｍｍの隔壁厚を有する。ライナは外部の後処理をせずに圧入され、その滑動面はピストンの直径に合わせて研磨される。
この種の処理方法は、これに関連するコストが新しいシリンダブロックもしくは新しいエンジンの全体的なコストに比較して高い負担となることから、例えば単気筒ディーゼルエンジン等の低価格のエンジンにおいては不適格である。
原材料の保存の観点から、小さなエンジンにおいても一定の使用の後廃棄するよりは、ライナ付けを行う方が好適である。
したがって、本発明の目的は、低価格エンジンに対しても経済的な観点から有効な補修を提供することである。
特に薄い隔壁を有する既知のライナ（米国特許第ＵＳ２２７９６７１号）は、乾燥状態でシリンダ内孔に挿入されるため、高い製造精度を必要とする。ここで、障害の無い熱伝導を達成するために、割れ目の無いプレスフィットの実現が重要となる。このフイットは、非常に小さな隔壁厚を有するライナ壁の柔軟性を酷使することによって達成される。既存のライナはシリンダ内孔に挿入された後、その滑走面が磨耗する。
これに対し、本発明に係る解決案によれば、シリンダライナは滑りばめを用いて対応するシリンダ内孔に所要の許容範囲をもって挿入され、これにより稼働中温度においてライナとシリンダ壁との間に２０ないし４０μの割れ目幅からなる環状の割れ目を確保し、ここで環状の割れ目は潤滑オイル循環路に接続される。
シリンダ壁の内部に形成されるシリンダライナとクランク室の基礎内孔部との間の放熱路は、オイル循環によって維持される潤滑オイルの膜によって確保される。オイルは内孔部を通じてシリンダ壁の内側に誘導され、そこで好適には螺旋形のオイル溝によってライナの全高にわたって配分される。
ここで、潤滑オイルはシリンダヘッド側の端部の付近で給入されシリンダライナとシリンダ壁との間の環状の割れ目を通過し、最終的にシリンダ壁とシリンダライナの下端との間の適宜な周回状の割れ目から流出し、そこからクランク室のオイルパンに到達する。
ライナはそのシリンダヘッド側の端部に外側に突き出た３ないし４ｍｍ幅のつば部材を備えることが好適であり、これはシリンダ前面の対応する環状溝部に咬合する。ライナがシリンダヘッドによってシリンダヘッドシール部材に強固に圧着され密封するように、環状溝部およびシリンダライナのつば部材の許容範囲が設定される。加えて、シリンダヘッドシール部材との気密な接合を達成するために、つば部材をシリンダ壁の前面より僅かに突出させることが有効である。
ここで、つば部材の厚さをこれがシリンダヘッドシール部材を代替するよう選定することができる。
本発明にしたがって、切削処理を行わずに継ぎ目の無い成形部材として、好適には深絞りまたは圧力成形によって鋼材から製造されたシリンダライナは、０．５ないし１ｍｍの隔壁圧を有し；ライナの滑走面は、硝酸処理、硬クロムメッキまたは特殊な研磨処理を施すことによって、小さなオイル孔を形成する目的において向上させることができる。さらに、消耗したライナの新しいものへの交換も、シリンダ側面上における追加的な処理を行うことなく実施することができる。
好適な製造工程により、約±３０μの充分な精度を達成することができ；シリンダライナを小さな遊びをもってクランク室の基礎内孔部に挿入することによって小さな成形誤差が相殺され、ここで直径の許容範囲が４０ないし８０μである軽量の滑りばめを設けることが好適であることが明らかとなった。
シリンダライナの外周へのオイルの注流は、一方ではその直接的な冷却が達成されるが、；これにより特に冷却されたシリンダ壁への熱伝導を向上させる。さらに、それによって有害な空気封入および空気流の発生が防止される。これにより、シリンダライナのシリンダ壁の内部における中心配置および支持が達成され、その際潤滑オイルが環状の割れ目に充満し、この割れ目は稼働中において鋼鉄製のシリンダライナと鋳造されたシリンダ壁との間の異なった熱膨張により冷たい状態と比べて拡大する。これは、鋼鉄と比べてきわめて大きな熱膨張を有するアミノ鋳造シリンダブロックにおいて特に顕著になる。
さらに、シリンダライナの取り外しに使用する工具を挿入するために、シリンダ壁の前面内につば部材に下方から接合する収納部を設けることが好適である。
次に、本発明の好適な実施例について添付図面を参照しながら、以下詳細に説明する。ここで：
図１は、シリンダライナを有するエンジンブロックの上部を示す軸方向断面図、
図２は、図１のＩＩ部分を示す詳細説明図である。
図１はシリンダライナ１の軸方向断面図であり、これは例えばアルミニウム圧力鋳造によって製造されたシリンダ２に挿入されており、これは図示されていない単気筒ディーゼルエンジンのクランク室と一体的に鋳造されている。シリンダライナ１は、遠心鋳造により製造された従来の交換用ライナに対して、深絞りによって鋼板から製造された低価格部品であり、これは一般的な深絞り鋳造のライナより安価に入手することができる。シリンダライナ１は、その滑走面を形成する、０．５ないし１ｍｍの隔壁圧を有するシリンダ部品３と、シリンダ壁７の内側の軽量の滑りばめとを備え、すなわち２０ないし４０μの環状の割れ目９が形成可能である。ライナ１はそのシリンダヘッド側の端部に周回状のつば部材４を備えており、これはシリンダ壁７の前面１３内の対応する環状溝に収容されている。シリンダ壁７の前面１３にはつば部材４に下方から接合する複数の収納部５が形成されており、これはシリンダライナ１と取り外す工具の進入のために備えられている。
熱伝導の向上と均等的な機械的支持を達成するため、シリンダライナ１とシリンダ２の内壁との間に潤滑オイルの膜が設けられ、これは導管６を介してシリンダ壁７内に１ないし２バールの油圧をもって給入される。導管６の内側の端部の周回溝８が、給入されたオイルを環状の割れ目９全体に均等に配分するよう作用する。シリンダ２の内壁内の螺旋形状のオイル溝１０が、潤滑オイルの膜を均等に配分するよう作用する。このオイル溝の断面は約１ｍｍの深さと２ｍｍの幅に相当する。オイル溝は、既に圧力鋳造工程において形成するか、または後から形成することもできる。螺旋形状のオイル溝１０の上昇率は非常に小さなものであり、例えば１：１０とされる。
シリンダライナ１は、これに対して下方に向かって接合するシリンダ内孔１２の輪郭の外側において、その下側の縁部１１をもって終局しており、これによって、ピストンを下側から装着することが可能となる。環状の割れ目９の下端から流出した潤滑オイルは、圧力無しでシリンダ壁７に沿って下方のクランク室のオイルパンに流れ落ちる。
シリンダライナ１のつば部材４は、シリンダ壁７のシリンダヘッド側の前面１３よりいくらか突出しており、これによって図２に示されたシリンダヘッド・シール部材１４が確実な密封を達成する。
シリンダライナ１は、その薄い隔壁厚により円対称性における可能な許容誤差に容易に適応することができ；これによってピストンの動作方向に対する横振動を僅かなものにすることができ、これは潤滑オイルの膜によって減衰させることができる。このシリンダライナの小さな横振動によりその耐久期間が延長され、その値は１０００時間以上の稼働時間に達する。補修用ライナへの交換は容易なものである。古いシリンダライナは、つば部材４の縁部の収納部５に挿入された（図示されていない）工具によって、上方に向かって持ち上げられ；新しいライナは特に追加的な作業を施すことなく挿入される。したがって、シリンダライナ１の交換は単気筒の小型ディーゼルエンジンにおいても、経済的に有効なものとなる。
【図１】
0003723212.tif 000002
【図２】
0003723212.tif 000003